(57)【要約】【課題】紙葉類を標準板に接触させたり、浮き上がらせたりすることなく、紙葉類の読取りを可能とし、しかも、標準板を広く設置できるようにする。【解決手段】読取部４は、第１の搬送部３Ａから送り出される紙葉類Ｐをガイド面１８ａに沿ってガイドするガイド板１８と、このガイド板１８のガイド面１８ａに向かって光を投光する投光器１１及びこの投光器１１から投光されて反射される反射光を受光する受光器１２を有する光学系と、ガイド板１８のガイド面１８ａに設けられ、投光器１１から投光された光を反射させて受光器１２に受光させることにより光反射率の基準値を設定させる標準板１３と、ガイド板１８に形成され、標準板１３の周囲部からエアーを吹き出してガイド面１８ａと紙葉類Ｐとの間に空気層を形成するエアーノズル１６とを具備する。【選択図】    図２
2004231339.tif 000002
【特許請求の範囲】
【請求項１】
紙葉類を搬送する第１の搬送部及びこの第１の搬送部に対し所定間隔を存して配置され前記第１の搬送部から送り出された紙葉類を搬送する第２の搬送部とを有する搬送手段と、
この搬送手段の第１及び第２の搬送部間に設けられ、前記第１の搬送部から送り出される紙葉類の情報を光学的に読み取る読取手段とを具備し、
前記読取手段は、
前記第１の搬送部から送り出される紙葉類をガイド面に沿ってガイドするガイド手段と、
このガイド手段のガイド面に向かって光を投光する投光部及びこの投光部から投光されて反射される反射光を受光する受光部を有する光学手段と、
前記ガイド手段のガイド面に設けられ、前記投光手段から投光された光を反射させて前記受光部に受光させることにより光反射率の基準値を設定させる基準部材と、
前記ガイド手段に形成され、前記基準部材の周囲部からエアーを吹き出して前記ガイド面と紙葉類との間に空気層を形成するエアーノズルと、
を具備することを特徴とする紙葉類読取装置。
【請求項２】
前記エアーノズルにはエアー供給管を介してコンプレッサが接続されることを特徴とする請求項１記載の紙葉類読取装置。
【請求項３】
前記空気層はガイド面に沿って流れることにより、大気圧と比較して負圧状態になって前記紙葉類をガイド面に沿わせる請求項１記載の紙葉類読取装置。
【請求項４】
前記基準部材は前記ガイド面に対し面一に設けられたことを特徴とする請求項１記載の紙葉類読取装置。
【発明の詳細な説明】
【０００１】
【発明の属する技術分野】
本発明は、例えば、有価証券等の紙葉類を区分集積する紙葉類読取装置に適用され、紙葉類の情報を読み取る紙葉類読取装置に関する。
【０００２】
【従来の技術】
この種の紙葉類読取装置には、一対の搬送ベルトにより紙葉類を挟持搬送し、この搬送される紙葉類に対し投光器から光を投光して紙葉類から反射させ、この反射光を受光することにより、紙葉類の情報を光学的に読み取るものがある（光反射型読取装置）。
【０００３】
しかしながら、この一対の搬送ベルトにより、紙葉類を挟持搬送するものは、紙葉類が浮き上がって反射光の強さが変化し易く、読取精度が低下するという不都合がある。
【０００４】
そこで、紙葉類の両面を一対の搬送ベルトにより挟持しないで、吸着孔を穿設した一本の搬送ベルトにより紙葉類の片面のみを支持して搬送し、この搬送される紙葉類をエアーチャンバーにより搬送ベルトの吸着孔を介して吸引することにより、紙葉類の浮き上がりを規制して平坦な搬送を可能し、読取精度を向上できるようにしたものが開発されている。
【０００５】
一方、この反射型の紙葉類読取装置では、紙葉類が搬送されてくる位置の直近に標準板（基準板）を設置し、投光器から投光された光を標準板で反射させて受光器で受光することにより、光反射率の基準値を設定することが必要となっている。
【０００６】
【発明が解決しようとする課題】
しかしながら、従来においては、紙葉類の読取時において紙葉類が標準板と接触するため、標準板が磨耗、または汚れて標準板から反射する光の反射率が変化してしまう。このため、読取装置の読取性能が安定しないという問題があった。
【０００７】
また、紙葉類が搬送ベルトに吸着されていない部分では、紙葉類の搬送状態が安定せず浮き上がって反射光の強さに影響を与え、読み取り精度が低下する虞がある。
【０００８】
さらに、搬送ベルトを通している部分は標準板が配置できないため、紙葉類の全面を正しく読み取ることができないという問題もある。
【０００９】
本発明は上記事情に着目してなされたもので、その目的とするところは、紙葉類を基準板に接触させたり、浮き上がらせたりすることなく紙葉類の読取りを可能とし、しかも、基準板を広い範囲で設置できるようにした紙葉類読取装置を提供することにある。
【００１０】
【課題を解決するための手段】
上記課題を解決するため、請求項１記載の発明は、紙葉類を搬送する第１の搬送部及びこの第１の搬送部に対し所定間隔を存して配置され前記第１の搬送部から送り出された紙葉類を搬送する第２の搬送部とを有する搬送手段と、この搬送手段の第１及び第２の搬送部間に設けられ、前記第１の搬送部から送り出される紙葉類の情報を光学的に読み取る読取手段とを具備し、前記読取手段は、前記第１の搬送部から送り出される紙葉類をガイド面に沿ってガイドするガイド手段と、このガイド手段のガイド面に向かって光を投光する投光部及びこの投光部から投光されて反射される反射光を受光する受光部を有する光学手段と、前記ガイド手段のガイド面に設けられ、前記投光手段から投光された光を反射させて前記受光部に受光させることにより光反射率の基準値を設定させる基準部材と、前記ガイド手段に形成され、前記基準部材の周囲部からエアーを吹き出して前記ガイド面と紙葉類との間に空気層を形成するエアーノズルとを具備する。
【００１１】
【発明の実施の形態】
以下．本発明を図面に示す実施の形態を参照して詳細に説明する。
【００１２】
図１は有価証券等の紙葉類を区分集積する紙葉類の処理装置１を示す構成図である。
【００１３】
この紙葉類処理装置１は紙葉類Ｐを一枚ずつ取出す取出部２、この取出部２で取出された紙葉類Ｐを搬送する搬送部３、この搬送部３で搬送される紙葉類Ｐの情報を読み取る読取部４、この読取部４で読み取られた紙葉類Ｐをその読取情報に応じて複数の方向に振分ける振分部５、この振分部５により振分けられた紙葉類Ｐを集積する第１および第２の集積ユニット６ａ、６ｂを有してなる集積部６、及び排除紙葉類を集積する集積部７から構成される。
【００１４】
紙葉類Ｐを処理する場合は、積層状態で載置された紙葉類Ｐを取出部２により上方のものから順次、１枚ずつ分離して取出す。この取出された紙葉類Ｐは搬送部３へ受け渡され、搬送部３は後述する搬送ベルトにより紙葉類Ｐを挟持して一定の速度で搬送する。この搬送される紙葉類Ｐは読取部４で情報が読み取られたのち、振分部５により、読取情報に基づき第１或いは第２の搬送方向Ａ、Ｂに振分けられる。第１の搬送方向Ａに振分けられた紙葉類Ｐは第１の分岐搬送路１０を介して排除用の集積部７に送られ，第２の搬送方向Ｂに振分けられた紙葉類Ｐは第２の分岐搬送路２１及び振分部２４を介して第１或いは第２の集積ユニット６ａ、６ｂに集積されて再び束状に積層される。
【００１５】
なお、集積部６側に搬送されてくる紙葉類Ｐは、搬送路２１に設けられた光学式センサ２３により通過枚数がカウントされ，通過枚数が１００枚カウントされるごとに振分部２４が回動されて紙葉類Ｐを１００枚ずつ交互に第１の集積ユニット６ａ或いは第２の集積ユニット６ｂに集積させる。排除用の集積部７は集積部６と同様に、搬送されてきた紙葉類Ｐを受け止めて停止させ、再び、束状に積層する。
【００１６】
図２は上記した搬送部３及び読取部４を示す構成図である。
【００１７】
搬送部３は、紙葉類Ｐを搬送ベルト１４ａ，１４ａにより挟持搬送する第１の搬送部３Ａ及びこの第１の搬送部３Ａに対し、紙葉類Ｐの搬送方向に所定間隔を存して配置され、第１の搬送部３Ａから送り出される紙葉類Ｐを搬送ベルト１４ｂ，１４ｂにより挟持搬送する第２の搬送部３Ｂを有して構成されている。
【００１８】
読取部４は、第１及び第２の搬送部３Ａ，３Ｂの間に位置して設けられ、搬送路の上部側に配設される投光部としての投光器１１及び受光部としての受光器１２、搬送路の下部側に配設されるガイド手段としてのガイド板１８を有して構成されている。
【００１９】
ガイド板１８はその上面部に紙葉類Ｐをガイドするガイド面１８ａを有し、このガイド面１８ａには基準部材としての標準板１３がガイド面１８ａに対し面一の状態で設けられている。投光器１１から投光された光は標準板１３に照射されて反射し、受光器１２に受光されるようになっている。この受光により光反射率の基準値が設定されるようになっている。
【００２０】
また、ガイド板１８には標準板１３の周囲部に位置してエアーノズル１６が複数穿設されている。エアーノズル１６…にはエアー供給管１９…を介してコンプレッサ１５が接続され、コンプレッサ１５が動作されることにより、エアーノズル１６からエアーが吹き出されるようになっている。
【００２１】
次に、紙葉類の読取動作について説明する。
【００２２】
まず、投光器１１から光を投光させて標準板１３に照射させる。この照射により標準板１３から光が反射されて受光器１２に受光される。この受光により、光反射率の基準値が設定される。この状態から第１の搬送部３Ａによって紙葉類Ｐを挟持搬送し、この紙葉類Ｐはガイド板１８のガイド面１８ａ及び標準板１３の上面部に沿って第２の搬送部３Ｂに向かって搬送される。この搬送により、投光器１１から投光された光が、紙葉類Ｐに照射されて反射し、受光器１２に受光される。この受光により、紙葉類Ｐの光反射率が上記した基準反射率と比較されて紙葉類Ｐの情報が読み取られ、その良否、即ち、紙葉類Ｐの真偽やリジェクトすべきものか否か等の判別が行なわれる。
【００２３】
一方、この読取動作時には、コンプレッサ１５が動作されて図３にも示すようにエアーがエアーノズル１６から吹き出される。このエアーは図４に示すように紙葉類Ｐの下面に沿って流れ、紙葉類Ｐとガイド板１８との間に空気層が形成される。この紙葉類Ｐとガイド板１８との間はエアーが流れる分だけ周囲と比較し、負圧となる。このため、紙葉類Ｐはガイド板１８側に大気圧によって押し付けられることになる。これにより、紙葉類Ｐはガイド板１８のガイド面１８ａ及び標準板１３に沿って平坦な状態で搬送される。
【００２４】
上記したように、紙葉類Ｐはガイド板１８側に大気圧によって押し付けられるため、ガイド板１８のガイド面１８ａ及び標準板１３に沿って搬送され、浮き上がりの無い平担な安定した搬送が可能となる。なお、反射型の読取装置では紙葉類Ｐの浮き上がりがあると、反射光の強さに影響が大きいため、浮き上がりが無い平坦な搬送を行なうことにより、読取性能を向上できる。
【００２５】
また、ガイド板１８と紙葉類Ｐとの間には空気層が形成されるため、紙葉類Ｐが標準板１３に接触することがなく、標準板１３を摩耗させたり、汚したりすることもない。
【００２６】
さらに、ガイド板１８側に搬送ベルトを配置する必要が無いので、ガイド板１８のガイド面１８ａの略全面を標準板１３にすることが可能となり、読取性能を向上することができる。
【００２７】
なお、本発明は上記一実施の形態に限られることなく、その要旨の範囲内で種々変形実施可能なことは勿論である。
【００２８】
【発明の効果】
以上説明したように、本発明によれば、紙葉類をガイド手段のガイド面及び基準部材に沿って浮き上がることなく、平担な安定した搬送が可能となり、読取精度を向上できる。
【００２９】
また、ガイド手段のガイド面と紙葉類との間に空気層を形成するため、紙葉類がガイド部材に直接接触することがなく、ガイド面に配置した基準部材の磨耗や汚れを防ぐことができる。
【００３０】
さらに、ガイド手段側に搬送ベルトを配置する必要が無いため、ガイド部材のガイド面の全面に基準部材を設けることが可能となり、読取性能を向上できる。
【図面の簡単な説明】
【図１】本発明の一実施の形態である紙葉類処理装置を示す全体構成図。
【図２】同紙葉類処理装置に備えられる検知装置を示す構成図。
【図３】同検知装置のエアーノズルからエアーが吹き出される状態を示す図。
【図４】同検知装置のエアーノズルから吹き出されたエアーが紙葉類とガイド体との間を流れる状態を示す図。
【符号の説明】
Ｐ…紙葉類、３Ａ…第１の搬送部（搬送手段）、３Ｂ…第２の搬送部（搬送手段）、１１…投光器（投光部）、１２…受光器（受光部）、１３…標準板（基準部材）、１５…コンプレッサ、１６…エアーノズル、１８ａ…ガイド面、１８…ガイド手段、１９…エアー供給管。
【図１】
2004231339.tif 000003
【図２】
2004231339.tif 000004
【図３】
2004231339.tif 000005
【図４】
2004231339.tif 000006